(57)【要約】【課題】長尺な刈り取り物でも詰まりなく円滑に刈り取り処理ができる刈り取り機を提案する。【解決手段】走行機体の一側位置と他側位置に設けた刈り取り跳ね出し装置で、刈り取り物の株元を刈ると同時的に後方に向けて裾払い状に跳ね出すことにより、刈り取り物が左右より機体中央に寄せられて、機体中央から後方にかけて刈り取り物が集束されて、門形フレームの中間空間部を潜り抜けながら、刈り取り物の上部を前方向きに下部を後方向きに押し倒し作用させて倒伏処理させる構造にした刈り取り機の構成として、長尺な刈り取り物でも円滑に刈り取り処理できる。【選択図】  図１
2014036633.tif 000002
【特許請求の範囲】
【請求項１】
原動機の駆動を受けて走行する走行車輪を有しハンドルで走向操作される走行機体の前部に、左右横方向の伝導ケースの両側に縦方向の伝導ケースを有する正面視で逆Ｕの字状の門形に形成された門形フレームを配設し、該縦方向の伝導ケースの一方側に、機体の一方側から機体の中央側に向けて回転する刈り刃と該刈り刃の上部に跳ね出し体を有する一側位置の刈り取り跳ね出し装置を配設すると共に、該一側位置の刈り取り跳ね出し装置に対向させて、前記縦方向の伝導ケースの他方側に、機体の他側から機体の中央側に向けて回転する刈り刃と該刈り刃の上部に跳ね出し体を有する他側位置の刈り取り跳ね出し装置を配設させ、該一側位置と他側位置の刈り取り跳ね出し装置で、刈り取り物の株元を刈ると同時的に後方に向けて裾払い状に跳ね出すことにより、刈り取り物が左右より機体中央に寄せられて、機体中央から後方にかけて刈り取り物が集束されて、前記門形フレームの中間空間部を潜り抜けながら、刈り取り物の上部を前方向きに下部を後方向きに押し倒し作用させて倒伏処理させる構造にしたことを特徴とする刈り取り機。
【請求項２】
門形フレームの縦方向の伝導ケースの一方側下部に、前方に延出する補助伝導ケースを介して一方の刈り取り跳ね出し装置を門形フレームの前位に配設し、該一方の刈り取り跳ね出し装置に対して、他方の刈り取り跳ね出し装置を後位に位置させ、両刈り取り跳ね出し装置の刈り刃は走行機体の進行方向に沿わせた方向に対しては前後に若干重複し、且つ平面視においても刈り取り物の後方斜め移送部も重複する重複部を有する配置にしたことを特徴とする請求項１に記載の刈り取り機。
【請求項３】
門形フレームの左右の伝導ケースの直下に、一側位置と他側位置の刈り取り跳ね出し装置を装着して、一側位置と他側位置の刈り取り跳ね出し装置の刈り刃を上面視で進行方向に対して前後を略同位置にしてほぼ平行に並べたことを特徴とする請求項１に記載の刈り取り機。
【請求項４】
一側位置と他側位置の刈り取り跳ね出し装置に設ける刈り刃を、先端を細幅に形成した左右対称の帯板からなる両刃剣先状の刈り刃に構成して円周に同一間隔をもって複数装備させ、該剣先状の刈り刃部は先端部が先端に行くほど後方に後退する傾斜後退角を有して、正逆回転方向に刈り取り可能に構成し、刈り刃の上部に跳ね出し体を具備するのに、跳ね出し体も円周に同一間隔をもって刈り刃と同数にすると共に跳ね出し部を左右対称にして正逆回転方向に跳ね出し可能に構成し、刈り刃と跳ね出し体の位置関係は、刈り刃の中央に跳ね出し体の跳ね出し部の中央が位置する構成にして、刈り刃と跳ね出し体を一体的に構成し、一側位置と他側位置の刈り取り跳ね出し装置のそれぞれを位置交換自在に着脱できるように構成したことを特徴とする請求項１、請求項２、請求項３のいずれかに記載された刈り取り機。
【発明の詳細な説明】
【技術分野】
【０００１】
本発明は、長尺な立桿姿勢の草、雑木などの刈り取り物でも、株元を円滑に刈ると同時的に刈り取り物を後方に向けて裾払い状に跳ね出すことにより、刈り取り物の上部を前方向きに下部を後方向きに押し倒し作用させて詰まりなく円滑に刈り取り処理ができる刈り取り機の分野に関するものである。
【背景技術】
【０００２】
従来、平地や圃場の畦畝に繁茂する雑草を草刈り処理するのに肩掛け式の刈り払い機が多く用いられていたが、夏の炎天下での草刈りは労力負担が大きくて作業労力の軽減化が求められていた。これらの要求に応えるべく、最近は原動機による自走式の草刈り機が用いられるようになっており、例えば特許文献１に示される自走式草刈機の形態が市場に用いられるようになっている。また、作業労力軽減化の要求に応えるべく、本特許出願人は先に特許文献２に示すような一輪走行式で手軽に使えることが出来る草刈り機を提案している。
【先行技術文献】
【特許文献】
【０００３】
【特許文献１】特許第３７７８７７９号公報
【特許文献２】特開２００１−４５８３６号公報
【発明の概要】
【発明が解決しようとする課題】
【０００４】
特許文献１に示される自走式草刈機は、平地や畦面の傾斜地などの雑草を草刈りするものであるが、草を刈り取るカッターが地面より高さの低いカバーで覆われているために短い丈の草なら円滑に草刈りをすることができるが、長尺に繁茂した草や雑木の場合には、カバーの入り口側で詰まることとなって草刈りができない状態であった。そのために、長い丈の草や雑木がある場合には、予め、刈り払い機等で長尺の草や雑木を短めに刈り取りの前処理をした後で、特許文献１に示される自走式草刈機で前処理後の草や雑木を仕上げ刈り処理するなどの手間が掛かっていた。また、特許文献１のものは、カッターがカバーの中で回転する結果、刈り取り物がカッター内を何回も持ち回るので消費馬力が多くなりそれを見越した大馬力の原動機を用意する必要があり機体重量が増大していた。さらに刈り取り物がカッター内を何回も持ち回る結果、刈り取り物が粉々に粉砕されてしまうので、爾後に刈り取り物を家畜の飼料に利用したいなどの要求には応えることができない課題がある。
【０００５】
次に、本特許出願人が提案した特許文献２に示される一輪走行式で手軽に使えることができる草刈り機は、実験の結果、作業者の労力負担を少なくして手軽に使用出来る点で好評を得ていたが、構造的に草刈り用の刈り刃の駆動がベルトであったが故に、実験機に用いたベルトでは耐久性がなく、またベルトに草が巻き付きスリップ等が発生することもあり、更に傾斜法面刈りに使用するための前方刈り取り跳ね出し装置を傾斜させる機構が複雑であったために習熟度を要してユーザー操作が不向きであった。更に１輪車では機械の左右バランスの安定度に課題もあり、実用化に向けてはこれ等を改良する課題があった。
【課題を解決するための手段】
【０００６】
本発明は上記の課題を解決するために、第一に、原動機の駆動を受けて走行する走行車輪を有しハンドルで走向操作される走行機体の前部に、左右横方向の伝導ケースの両側に縦方向の伝導ケースを有する正面視で逆Ｕの字状の門形に形成された門形フレームを配設し、該縦方向の伝導ケースの一方側に、機体の一方側から機体の中央側に向けて回転する刈り刃と該刈り刃の上部に跳ね出し体を有する一側位置の刈り取り跳ね出し装置を配設すると共に、該一側位置の刈り取り跳ね出し装置に対向させて、前記縦方向の伝導ケースの他方側に、機体の他側から機体の中央側に向けて回転する刈り刃と該刈り刃の上部に跳ね出し体を有する他側位置の刈り取り跳ね出し装置を配設させ、該一側位置と他側位置の刈り取り跳ね出し装置で、刈り取り物の株元を刈ると同時的に後方に向けて裾払い状に跳ね出すことにより、刈り取り物が左右より機体中央に寄せられて、機体中央から後方にかけて刈り取り物が集束されて、前記門形フレームの中間空間部を潜り抜けながら、刈り取り物の上部を前方向きに下部を後方向きに押し倒し作用させて倒伏処理させる構造にしたことを特徴とする刈り取り機。の構成としたものである。
【０００７】
これにより、該一側位置と他側位置の刈り取り跳ね出し装置で、長尺な立桿姿勢の草、雑木などの刈り取り物でも、刈り取り物の株元を刈ると同時的に後方に向けて裾払い状に跳ね出すことにより、刈り取り物が左右より機体中央に寄せられて、機体中央から後方にかけて刈り取り物が集束されて、前記門形フレームの中間空間部を潜り抜けながら、刈り取り物の上部を前方向きに下部を後方向きに押し倒し作用させて倒伏処理させることを特徴とする刈り取り機で、長桿材の刈り取り作業が詰まり無く円滑に出来る。また、刈り取り物は株元のみ切断されて、刈り取り物の上部を前方向きに下部を後方向きに押し倒し作用させて倒伏処理されるので、刈り取り後に家畜飼料などの牧草に利用したい時などには、整列状に倒伏された刈り取り物の収集を円滑にして牧草利用を便ならしめる利点がある。
【０００８】
第二に、門形フレームの縦方向の伝導ケースの一方側下部に、前方に延出する補助伝導ケースを介して一方の刈り取り跳ね出し装置を門形フレームの前位に配設し、該一方の刈り取り跳ね出し装置に対して、他方の刈り取り跳ね出し装置を後位に位置させ、両刈り取り跳ね出し装置の刈り刃は走行機体の進行方向に沿わせた方向に対しては前後に若干重複し、且つ平面視においても刈り取り物の後方斜め移送部も重複する重複部を有する配置にしたことを特徴とする刈り取り機。の構成としたものである。これにより、刈り取り物の刈り残しが生じないようにすると共に、前方位置の刈り刃による前方寄せ刈り作用と後方位置の刈り刃の後方寄せ刈り作用で、刈り取り物の集束を円滑にして消費馬力の軽減と機体の小型化を図り、更に刈り取り能率の向上を図ることができる。
【０００９】
第三に、門形フレームの左右の伝導ケースの直下に、一側位置と他側位置の刈り取り跳ね出し装置を装着して、一側位置と他側位置の刈り取り跳ね出し装置の刈り刃を上面視で進行方向に対して前後を略同位置にしてほぼ平行に並べたことを特徴とする刈り取り機。の構成としたものである。
これにより、前記一側の刈り取り跳ね出し装置と他側の刈り取り跳ね出し装置は、左右に前後関係なく略同位置に配置されているものであり、刈り取り物を左右の刈り刃で同時的に刈り取り処理して効率よく作業ができる。また、門形フレームの左右の伝導ケースの直下に、一側位置と他側位置の刈り取り跳ね出し装置を装着する構成であるので、構造が簡単にできると共に機体の前後長さも短くしてより軽量化が図れる利点がある。
【００１０】
第四に、一側位置と他側位置の刈り取り跳ね出し装置に設ける刈り刃を、先端を細幅に形成した左右対称の帯板からなる両刃剣先状の刈り刃に構成して円周に同一間隔をもって複数装備させ、該剣先状の刈り刃部は先端部が先端に行くほど後方に後退する傾斜後退角を有して、正逆回転方向に刈り取り可能に構成し、刈り刃の上部に跳ね出し体を具備するのに、跳ね出し体も円周に同一間隔をもって刈り刃と同数にすると共に跳ね出し部を左右対称にして正逆回転方向に跳ね出し可能に構成し、刈り刃と跳ね出し体の位置関係は、刈り刃の中央に跳ね出し体の跳ね出し部の中央が位置する構成にして、刈り刃と跳ね出し体を一体的に構成し、一側位置と他側位置の刈り取り跳ね出し装置のそれぞれを位置交換自在に着脱できるように構成したことを特徴とする刈り取り機。の構成としたものである。
【００１１】
これにより、刈り刃は刈り取り作業により摩耗したり、又は石や材木の切断等で摩耗と損傷が発生する。刈り取り跳ね出し装置に設ける刈り刃と跳ね出し体の構造が左右同一傾斜に対称となって、正逆回転方向に刈り取りと跳ね出しが可能に構成されているので、刈り刃が摩耗や損傷の事態が生じた際には、一側位置と他側位置の刈り取り跳ね出し装置のそれぞれを位置交換自在に着脱することにより、新たな刈り刃部が使用できることになる。このように刈り刃の回転方向前後の両刃部が使えるので、２倍の耐久性があることになる。
【発明の効果】
【００１２】
本構造の門形フレームを有する刈り取り機により、長尺な立桿姿勢の草、雑木などの刈り取り物であっても、刈り取り物の株元を刈ると同時的に後方に向けて裾払い状に跳ね出すことにより、刈り取り物が左右より機体中央に寄せられて、機体中央から後方にかけて刈り取り物が集束されて、門形フレームの中間空間部を潜り抜けながら、刈り取り物の上部を前方向きに下部を後方向きに押し倒し作用させて倒伏処理させることができて、短い丈の短桿材の刈り取り作業は勿論のこと、長桿材の刈り取り作業も詰まり無く円滑に出来る。本構造では刈り取り物が絡み付きのない状態で刈り取り作業が円滑に出来るので、消費馬力が少なくなり原動機を小馬力化にして機体を小型化にしても高能率に刈り取りが出来る。機体の小型化は、機体重量の軽量化、製造コストの安価化、機体操作の取り扱い容易さに寄与する要因となる効果がある。また、刈り取り物は株元のみ切断されて、刈り取り物の上部を前方向きに下部を後方向きに押し倒し作用させて倒伏処理されるので、刈り取り後に家畜飼料などの牧草に利用したい時などには、整列状に倒伏された刈り取り物の収集を円滑にして牧草利用を便ならしめる利点がある。
【００１３】
次に、一方の刈り取り跳ね出し装置に対して、他方の刈り取り跳ね出し装置を後位に位置させる構成にして刈り刃の回転軌跡を重複するようにしたことにより、刈り取り物の刈り残しが生じないようにすると共に、前方位置の刈り刃による前方寄せ刈り作用と後方位置の刈り刃の後方寄せ刈り作用で、刈り取り物の集束を円滑にして消費馬力の軽減と機体の小型化を図り、更に刈り取り能率の向上を図ることができる。
【００１４】
また、一側の刈り取り跳ね出し装置と他側の刈り取り跳ね出し装置は、左右に前後関係なく略同位置に配置されている構成にすると、刈り取り物を左右の刈り刃で同時的に刈り取り処理して効率よく作業ができる。また、門形フレームの左右の伝導ケースの直下に、一側位置と他側位置の刈り取り跳ね出し装置を装着する構成となるので、構造が簡単にできると共に機体の前後長さも短くしてより軽量化が図れる利点がある。
【００１５】
さらに、刈り取り跳ね出し装置に設ける刈り刃と跳ね出し体の構造が左右同一傾斜に対称となって、正逆回転方向に刈り取りと跳ね出しが可能に構成されているので、刈り刃が摩耗や損傷の事態が生じた際には、一側位置と他側位置の刈り取り跳ね出し装置のそれぞれを位置交換自在に着脱することにより、新たな刈り刃部が使用できることになる。このように刈り刃の回転方向前後の両刃部が使えるので、２倍の耐久性があることになる。
【図面の簡単な説明】
【００１６】
【図１】本発明第１実施形態の刈り取り機の全体斜視図である。
【図２】同上刈り取り機の全体正面図である。
【図３】同上刈り取り機の全体平面図である。
【図４】同上刈り取り機の全体底面図である。
【図５】同上刈り取り機の全体側面図である。
【図６】同上刈り取り機の門形フレームと伝導状態を示す展開図である。
【図７】同上刈り取り機の刈り刃部の概略平面図である。
【図８】同上刈り取り機の刈り刃部の取り付け状態を示す断面図である。
【図９】本発明第２実施形態の刈り取り機の全体斜視図である。
【図１０】同上刈り取り機の全体平面図である。
【図１１】同上刈り取り機の全体底面図である。
【発明を実施するための形態】
【００１７】
本発明の実施形態を図面に基づいて説明する。図１に示すように、本発明の刈り取り機１は、走行機体２の前部に正面視で逆Ｕの字状の門形に形成された門形フレーム３を配置する刈り取り部４を設け、中央のミッションケース５に設けた車軸６の左右に走行車輪７，７と、該ミッションケース５を操作する変速レバー８を配設し、後部にエンジンや電動機などの原動機９と走行機体２を走向操作する操縦用のハンドル１０を設ける構成とされている。走行機体２のフレーム構成は、前後中央に前高後低状に斜めに配置したミッションケース５と、その上部に前後方向に配置された機体上部フレーム２Ａと、ミッションケース５の後部に支持されて上方に延びる機体縦フレーム２Ｂとにより、側面視で三角形のトラス構成にしたものとされ、構造はシンプルであるが頑丈にされており、この三角形トラス構成にしたフレームの前部に門形フレームが強固に支持されている。
【００１８】
前記の通り、刈り取り機１は、原動機９の駆動を受けて走行する走行車輪７，７を有しハンドル１０で走向操作される走行機体２の前部に刈り取り部４を設けている。そして、該刈り取り部４は、左右横方向の伝導ケース３Ａの両側に縦方向の伝導ケース３Ｂ，３Ｃを有する正面視で逆Ｕの字状の門形に形成された門形フレーム３を配設し、該縦方向の伝導ケースの一方側（機体前方に向かって左側）の伝導ケース３Ｂに、前方に延出する補助伝導ケース３Ｂ１を接続し、該伝導ケース３Ｂ１の下部に、機体の一方側（左側）から機体の中央側に向けて、平面視で時計回り方向に回転する刈り刃１１と該刈り刃１１の上部に跳ね出し体１２を有する一側位置の刈り取り跳ね出し装置１３を門形フレーム３の前位に配設する。そして、該一側位置の刈り取り跳ね出し装置１３に対向させて、前記縦方向の伝導ケースの他方側（機体前方に向かって右側）の伝導ケース３Ｃの下部に、機体の他側（右側）から機体の中央側に向けて平面視で反時計回り方向に回転する刈り刃１４と該刈り刃１４の上部に跳ね出し体１５を有する他側位置の刈り取り跳ね出し装置１６を配設する。
【００１９】
これにより、一方の刈り取り跳ね出し装置１３を門形フレーム３の前位に配設し、該一方の刈り取り跳ね出し装置１３に対して、他方の刈り取り跳ね出し装置１６を門形フレーム３直下の後位に位置させ、図７に示されるように両刈り取り跳ね出し装置１３，１６の刈り刃１１，１４の先端回転軌跡Ｋ１，Ｋ２は走行機体２の進行方向に沿わせた方向に対しては前後に若干重複し、且つ平面視においても刈り取り物の後方斜め移送部も重複する重複部１７を有する配置にされている。これにより刈り取り物の刈り残しが生じないようにされている。
そして、一側位置と他側位置の刈り取り跳ね出し装置１３，１６の刈り刃１１，１４で、刈り取り物の株元を刈ると同時的に、刈り取り跳ね出し装置１３，１６で刈り取り物の株元を後方に向けて裾払い状に跳ね出すことにより、刈り取り物が左右より走行機体２の中央に寄せられて、走行機体２の中央から後方にかけて刈り取り物が集束されて、前記門形フレーム３の中間空間部３Ａを潜り抜けながら、走行機体２の前進と共に、刈り取り物の先端上部を前方向きに下部株元を後方向きに押し倒し作用させて、車軸６の下方を通過して地面上に整列させて倒伏処理させる構成とされている。このときミッションケース５は正面視で門形フレーム３を構成する他方の縦方向の伝導ケース３Ｃの背部に遮蔽される位置に機体中央より他方側に偏寄させて配置されているので刈り取り物の後方排出の邪魔にならないものである。
【００２０】
次に、伝動の概略は図６で説明する、原動機９からの伝導軸１８は、門形フレーム３の伝導ケース３Ａ内に入力されている。伝導軸１８の回転はベベルギヤ−１９，２０を介して分配軸２１を回動駆動するよう連結されている。車軸６の回動は分配軸２１からベベルギヤ−２２，２３を介してミッションケース５内の軸２４に伝導され、軸２４からハイポイドギヤ−２５、２６を介して中間軸２７に伝達される。そして、中間軸２７に、変速レバー８で切り替え操作される変速ギヤー２８を軸方向に移動可能に回転方向に固定して位置させ、該変速ギヤー２８の両側に遊転自在に軸架したクラッチギヤー２９，３０を介して、さらに第二中間軸３１に遊転自在に軸架された親子ギヤ−３２を介して、車軸６に固設された車軸ギヤ３３に伝達されて車軸６と共に走行車輪７，７が回転して走行機体２が走行する。変速レバー８を操作して変速ギヤー２８をクラッチギヤー２９，３０のいずれかに接続することにより走行車輪７，７の回転が高速走行、低速走行に切り替えられる。
【００２１】
機体２前部の刈り取り部４への駆動について説明する。前方の刈り取り跳ね出し装置１３の駆動は、分配軸２１に連結された伝導ケース３Ａ内の中継軸３４から、ベベルギヤ−３５，３６を介して伝導ケース３Ｂ内の伝達軸３７に伝えられる。そして、伝達軸３７からベベルギヤ−３８，３９を経由して補助伝導ケース３Ｂ１内の横軸４０に伝達され、ベベルギヤ−４１，４２を介して伝動軸４３が駆動され、該伝動軸４３の下端に設けた刈り刃１１と跳ね出し体１２を有する刈り取り跳ね出し装置１３が回動する構成とされている。
後方の刈り取り跳ね出し装置１６の駆動は、分配軸２１からベベルギヤ−４４，４５を介して伝導ケース３Ｃ内の伝達軸４６を経由して、該伝動軸４６の下端に装着した刈り刃１４と跳ね出し体１５を有する刈り取り跳ね出し装置１６が回動する構成とされている。
【００２２】
図７に、一側位置の刈り取り跳ね出し装置１３と他側位置の刈り取り跳ね出し装置１６の平面配置が示されている。両刈り取り跳ね出し装置１３，１６の刈り刃１１，１４は中央の刈り取り合流点付近でお互いの回転軌跡が重複するようにされており、お互いの刃部分が衝突しないように位相がずらしてある。そして刈り刃１１，１４の先端回転軌跡Ｋ１，Ｋ２は、走行機体２の進行方向に沿わせた方向に対しては前後に若干重複し、且つ平面視においても刈り取り物の後方斜め移送部も重複する重複部１７を有する配置にされている。そして、刈り刃１１，１４は、両先端を細幅に形成した左右対称の帯板からなる両刃剣先状の刈り刃１１，１４に構成されたもの２枚が、直交状に重ねられて円周に同一間隔（図示では９０度間隔）をもって刈り刃部１１Ａ，１４Ａが４個突出するように装備され、該剣先状の刈り刃部１１Ａ，１４Ａは先端部が先端に行くほど後方に後退する傾斜後退角を有して、正逆回転方向に刈り取り可能に構成されている。また、刈り刃１１，１４の上部に跳ね出し体１２，１５を重合配置するのに、跳ね出し体１２，１５も円周に同一間隔（図示では９０度間隙）をもって刈り刃１１，１４と同数の４個にすると共に跳ね出し部１２Ｄ，１５Ｄを左右対称にして正逆回転方向に跳ね出し可能に構成し、刈り刃１１，１４と跳ね出し体１２，１５の位置関係は、刈り刃１１，１４の中央に跳ね出し体１２，１５の跳ね出し部１２Ｄ，１５Ｄの中央が位置する構成にして、刈り刃１１，１４と跳ね出し体１２，１５を、後述するようにボルトとナットで一体的に構成している。
【００２３】
図８に示される、上記伝動軸４６への刈り刃１４と跳ね出し体１５を有する刈り取り跳ね出し装置１６の取り付けについて説明する。伝動軸４６は、刈り刃伝動軸４６に延長刈り刃伝動軸４６−１が溶着され、刈り刃伝動軸４６−１の下端周辺の軸外周にスプライン若しくはスプライン状のセレーション４６Ａが刻設されている。そして伝導ケース３Ｃの下部の大径筒部（刃固定メタル）３Ｃ１に嵌装するベアリングＢＢを介して刈り刃伝動軸４６−１を支持する。そして、大径筒部（刃固定メタル）３Ｃ１の先端に固定座となるラビリンス構成４７Ａを有する巻き付け防止体４７が位置して、該巻き付け防止体４７の中心に穿設した中央ブローチ孔部４７Ｂが勘合して伝導軸４６−１に軸架される。刈り刃１４は、両先端を細幅に形成した左右対称の帯板からなる両刃剣先状の刈り刃１４に構成されたもの２枚が、直交状に重ねられて円周に同一間隔（９０度間隔）をもって刈り刃部１４Ａが４個突出するように装備され、刈り刃１４の上部に平面視で回転方向に４ヶ所の跳ね出し部１５Ｄを有するスターホイール状の跳ね出し体１５が重合される。該跳ね出し部１５Ｄは上下に立壁状に厚みのある面に構成されて刈り取り物の株元を跳ね出しやすくしてある。該跳ね出し体１５は表面側の上殻体となる排出促進体１５−１と、この排出促進体１５−１の裏面に嵌合する凹凸リブの強度面を有する下殻体となる排出促進体補強板１５−２とで構成されており、この排出促進体１５−１と排出促進体補強板１５−２とを上下に合わせた状態で、スターホイール状の突出箇所（羽根部）の溶接部１５Ｗと中心箇所のボス周辺の溶接部１５Ｕで溶接してスターホイール状（ヒトデ状）の厚みのある殻体を形成する。溶接部１５Ｗは円周に４箇所、溶接部１５Ｕは円周３６０度上に５箇所にある。刈り刃１４の下部に刈り高さ調節板の機能を有する円盤状の橇皿４８が添設されて、これら刈り刃１４，１４と跳ね出し体１５と橇皿４８の３部材が重合されて、ボルト１５Ａとナット１５Ｂで４ヶ所で一体的に固定されて刈り取り跳ね出し装置１６を構成している。
【００２４】
そして、該刈り取り跳ね出し装置１６の跳ね出し体１５の中心に穿設した中央ブローチ部１５Ｃが伝導軸４６のセレーション４６Ａに勘合されて軸架され、単一のボルト４９で伝導軸４６に一体的に固定されている。したがって、刈り刃１４，１４と跳ね出し体１５と橇皿４８の３部材を一体的に重合した刈り取り跳ね出し装置１６は、単一のボルト４９の締緩操作で伝導軸４６への取り付け固定、取り外し分解の着脱操作が簡単にできる。
図面符号５０は伝導ケース３Ｃに取り付け固定されている刈り取り跳ね出し装置１６の上部を覆う被覆カバーである。この被覆カバー５０により刈り取り跳ね出し装置１６により飛散される固形物、石などを受け止めて保護するようにされている。
【００２５】
上記には、他方の刈り取り跳ね出し装置１６について説明したが、一方の刈り取り跳ね出し装置１３の構成並びに取り付け構成も刈り取り跳ね出し装置１６と同様にされている。すなわち、一方の刈り刃１１と跳ね出し体１２と橇皿（図示省略）の３部材が重合されて刈り取り跳ね出し装置１３を構成し、補助伝導ケース３Ｂ１に内装される伝動軸４３の下端に単一のボルト４９で着脱自在に取り付けられている。
伝動軸４３の下端に取り付けられる一方の刈り取り跳ね出し装置１３と、伝導軸４６の下端に取り付けられる他方の刈り取り跳ね出し装置１６の取り付け構成が全く同じにされているので、両者の取り付けには互換性があり単一のボルト４９の弛緩操作で取り付けを交換することができる。
なお、走行機体２の後方には、後部保護カバー５１と、保護カバーの下端に垂設されて後方へ揺動退避可能なゴム垂れ５２が設けてあり、地面に倒伏した刈り取り物を後方へ逃がしながら、刈り取り跳ね出し装置１６から後方へ飛散されてくる不側な飛散物を受け止めて作業者を保護するようになっている。５３は後部の安全カードであり、作業者の足下が原動機などに触れないようにされている。
【００２６】
図９〜図１１に示すものは、本発明第２実施形態の刈り取り機である。
この第２実施形態の刈り取り機は、走行機体２の前部に正面視で逆Ｕの字状の門形に形成された門形フレーム３が設けられ、該門形フレーム３の左右横方向の伝導ケース３Ａの両側に縦方向に設けた左右の伝導ケース３Ｂ，３Ｃの直下に、一側位置と他側位置の刈り取り跳ね出し装置１３，１６を装着して、一側位置と他側位置の刈り取り跳ね出し装置１３，１６の刈り刃１１，１４を上面視で進行方向に対して前後を略同位置にしてほぼ平行に並べたことを特徴とするものである。
これにより、前記一側の刈り取り跳ね出し装置１３と他側の刈り取り跳ね出し装置１６は、左右に前後関係なく略同位置に配置されているものであり、刈り取り物を左右の刈り刃１１，１４で同時的に刈り取り処理して効率よく作業ができる。また、門形フレーム３の左右の伝導ケース３Ｂ，３Ｃの直下に、一側位置と他側位置の刈り取り跳ね出し装置１３，１６を装着する構成であるので、第１実施形態の刈り取り機で必要であった補助伝導ケース３Ｂ１や内部の横軸や伝導軸、およびベベルギヤーなどが不要になって、構造が簡単にできると共に機体の前後長さも短くしてより軽量化が図れる利点がある。
この第２実施形態の刈り取り機におけるその他の構成は、第１実施形態の刈り取り機と構成が同じであるので説明は省略する。
【００２７】
この構成により、刈り取り機１は、原動機９の駆動を受けて走行車輪７，７により前進走行し、刈り取り部４で刈り取りされると、該一側位置（前進方向の左側）と他側位置（前進方向の右側）の前方刈り取り跳ね出し装置１３と後方刈り取り跳ね出し装置１６により、刈り取り物が左右より機体２の中央に寄せられて、機体２中央から後方にかけて刈り取り物が集束されて、刈り取り物の株元を後方に飛ばされるようにして倒伏処理される構造で、前方刈り取り跳ね出し装置１３と後方刈り取り跳ね出し装置１６には先端を細幅に形成された帯板状構成からなる４本の剣先状の刈り刃部１１，１４が設けられており、該剣先状刈り刃は先端部１１Ａ，１４Ａが、先端に行くほど後方に後退する傾斜後退角を有しており、刈り刃１１，１４の上部に跳ね出し体１２，１５を具備し、刈り刃１１，１４と跳ね出し体１２，１５の位置関係は同一位置にあり、該剣先状刈り刃１１，１４は円周に同一間隔をもって９０度位相で４枚装備され、跳ね出し体１２，１５も円周に同一間隔をもって９０度位相で４枚の構造をもつ。
【００２８】
本構造にすると、刈り刃１１，１４で切断した刈り取り物の株元を機体の一側から中央側に裾払いしながら跳ね飛ばすようにして刈り取り物の株元を後方に飛ばされるようにして倒伏処理されることを促進するので、刈り刃１１，１４付近での刈り取り物の滞留、詰まりがないこととなり、刈り取り物の後方への移送とさばきが良くなる。
このように、長尺な立桿姿勢の草、雑木などの刈り取り物であっても、刈り取り物の株元を刈り刃１１，１４で刈ると同時的に刈り取り跳ね出し装置１３，１６で後方に向けて裾払い状に跳ね出すことにより、刈り取り物が左右より機体中央に寄せられて、機体中央から後方にかけて刈り取り物が集束されて、門形フレーム３の中間空間部３Ａを潜り抜けながら、刈り取り物の上部を前方向きに下部を後方向きに押し倒し作用させて機体の片側に偏寄させて配置したミッションケース５の脇を通り抜けて車軸６の下方を通過して倒伏処理させることができて、短い丈の短桿材の刈り取り作業は勿論のこと、長桿材の刈り取り作業も詰まり無く円滑に出来る。本構造では刈り取り物が絡み付きのない状態で刈り取り作業が円滑に出来るので、消費馬力が少なくなり原動機を小馬力化にして機体を小型化にしても高能率に刈り取りが出来る。
【００２９】
機体の小型化は、機体重量の軽量化、製造コストの安価化、機体操作の取り扱い容易さに寄与する要因となる効果がある。機体重量の軽量化と機体操作の取り扱い容易さが図れることから、３０°位の傾斜面を有する傾斜地や、頂部が狭幅の畦面の畦草刈りも能率的に刈れる等の応用性に優れた良さがある。
また、刈り取り物は株元のみ切断されて、刈り取り物の上部を前方向きに下部を後方向きに押し倒し作用させて倒伏処理されるので、刈り取り後に家畜飼料などの牧草に利用したい時などには、整列状に倒伏された刈り取り物の収集を円滑にして牧草利用を便ならしめる利点がある。
【００３０】
跳ね出し体１２，１５の両排出促進面１２Ａ，１５Ａは刈り取り物の株元を跳ね出して排出促進する強力な放出力があるので、刈り取り条件の悪い倒伏材、軟弱材、枯れ草等の刈り取り物は塊が発生し易いが、例え、塊が発生しそうになっても跳ね出し体１２，１５で塊が強力に放出されて株元を裾払いされて後方に排出促進される。また、門形フレーム３の中間空間部３Ａは大きな空間となっており、後方のミッションケース５も門形フレーム３の縦方向の伝導ケース３Ｃの陰に正面から見て遮蔽する位置で機体の片側に偏寄されているので、門形フレーム３の中間空間部３Ａの後方が開放されている結果、集束された刈り取り物が、門形フレーム３の中間空間部３Ａを潜り抜けながら、刈り取り物の上部を前方向きに下部を後方向きに押し倒し作用させて倒伏処理させることができて、刈り取り物の後方移送を円滑にする。これにより、刈り刃部への停滞が防止されて詰まりのない状態が維持されて小馬力でも高能率で刈り取りが可能となる。
【００３１】
また、門形フレーム３は走行機体２の前部に配置されているが、該門形フレーム３は左右横方向の伝導ケース３Ａの両側に縦方向の伝導ケース３Ｂ，３Ｃを有する正面視で逆Ｕの字状の門形に形成されており、該門形フレーム３は、機体の前後中央に前高後低状に斜めに配置したミッションケース５と、その上部に配置された機体上部フレーム２Ａと、ミッションケース５の後部に支持されて上方に延びる機体縦フレーム２Ｂとにより、側面視で三角形のトラス構成にしたフレーム構成の前部に支持されているので、強度的に強固で頑丈な構成になり、門形フレーム３の効果を長年月に亘って発揮できることになる。
そして、走行機体２の下部はミッションケース５が片側に偏寄されて大きな空間部が形成されており、刈り取り物は車軸６の下方を通過して、後部保護カバー５１の下端に垂設されゴム垂れ５２を潜り抜けながら地面に列状に集束されて倒伏される。したがって走行機体２の後方の作業者は、刈り刃から飛散されてくる不側な飛散物を後部保護カバー５１やゴム垂れ５２で保護されて安全に作業をすることができる。
【００３２】
これらの構成により、本構造で１ｍもある長桿材や、倒伏材、枯れ草等の軟弱材の刈り取り物の排出が可能である。本構造は跳ね出し体１２，１５に排出促進面となる跳ね出し部１２Ｄ，１５Ｄを有する構造にし、更に跳ね出し部１２Ｄ，１５Ｄが約１００ｍｍと長く、上下方向の厚みが２０〜２７ｍｍの高さがある為に、刈り取られた刈り取り物の株元は瞬時に跳ね出し部１２Ｄ，１５Ｄで高速回転力が作用し、強力な周速度も加わるので長桿材でも裾払いして放出、排出するので刈り取りが詰まり無く出来る。倒伏材、軟弱材、枯れ草等は直立材に比較して桿の乱れで数倍の嵩となる、従来機はこれらの草を刈ると刈り取り困難を誘発することがたびたびあるが、本発明はこれらの草を刈り取りと同時的に瞬時に裾払いして放出、排出するので安定的な刈り取りが出来るので消費馬力も少ない。
【００３３】
刈り取り作業を続けていると、刈り刃１１，１４は刈り取り作業により摩耗したり、又は石やコンクリートへの衝突や材木の切断等で摩耗と損傷が発生する。このような場合に、刈り取り跳ね出し装置１３，１６に設ける刈り刃１１，１４と跳ね出し体１２，１５の構造が左右同一傾斜に対称となって、正逆回転方向に刈り取りと跳ね出しが可能に構成されているので、刈り刃１１，１４が摩耗や損傷の事態が生じた際には、刈り取り跳ね出し装置１３，１６の一側位置と他側位置の刈り取り跳ね出し装置１３，１６のそれぞれを伝動軸４３の下端に取り付けられる一方の刈り取り跳ね出し装置１３と、伝導軸４６の下端に取り付けられる他方の刈り取り跳ね出し装置１６の取り付け構成が全く同じにされているので、両者の取り付けには互換性があり単一のボルト４９の弛緩操作で位置交換自在に着脱することにより、新たな刈り刃部が使用できることになる。
このように刈り刃１１，１４の回転方向前後の両刃部が使えるので、２倍の耐久性があることになる。
【００３４】
これらを含めて、本発明の実施形態は、原動機の駆動を受けて走行する走行車輪を有しハンドルで走向操作される走行機体の前部に、左右横方向の伝導ケースの両側に縦方向の伝導ケースを有する正面視で逆Ｕの字状の門形に形成された門形フレームを配設し、該縦方向の伝導ケースの一方側に、機体の一方側から機体の中央側に向けて回転する刈り刃と該刈り刃の上部に跳ね出し体を有する一側位置の刈り取り跳ね出し装置を配設すると共に、該一側位置の刈り取り跳ね出し装置に対向させて、前記縦方向の伝導ケースの他方側に、機体の他側から機体の中央側に向けて回転する刈り刃と該刈り刃の上部に跳ね出し体を有する他側位置の刈り取り跳ね出し装置を配設させ、該一側位置と他側位置の刈り取り跳ね出し装置で、刈り取り物の株元を刈ると同時的に後方に向けて裾払い状に跳ね出すことにより、刈り取り物が左右より機体中央に寄せられて、機体中央から後方にかけて刈り取り物が集束されて、前記門形フレームの中間空間部を潜り抜けながら、刈り取り物の上部を前方向きに下部を後方向きに押し倒し作用させて倒伏処理させる構造にしたことを特徴とする刈り取り機。の構成としたものである。
【００３５】
これにより、該一側位置と他側位置の刈り取り跳ね出し装置で、長尺な立桿姿勢の草、雑木などの刈り取り物でも、刈り取り物の株元を刈ると同時的に後方に向けて裾払い状に跳ね出すことにより、刈り取り物が左右より機体中央に寄せられて、機体中央から後方にかけて刈り取り物が集束されて、前記門形フレームの中間空間部を潜り抜けながら、刈り取り物の上部を前方向きに下部を後方向きに押し倒し作用させて倒伏処理させることを特徴とする刈り取り機で、長桿材の刈り取り作業が詰まり無く円滑に出来る。また、刈り取り物は株元のみ切断されて、刈り取り物の上部を前方向きに下部を後方向きに押し倒し作用させて倒伏処理されるので、刈り取り後に家畜飼料などの牧草に利用したい時などには、整列状に倒伏された刈り取り物の収集を円滑にして牧草利用を便ならしめる利点がある。
【００３６】
本発明について前記に説明したが、更に補足して説明する。
先ず、１．門形フレームの下部を刈り取り草が通過する点について、補足説明する。
〔１〕構成・作用
左刈り刃１１と右刈り刃１４は、それぞれ刃の外径軌跡は２７０?〜４００?で、回転方向はそれぞれ機体の中央寄りに内向きに回転する。刈り取りは刈り刃１１，１４で、刈り取られた刈り取り物は門形フレーム３の中間空間部３Ａを通って、車輪７，７の機体後方に搬送される。左刈り取り部１３は左刈り刃伝動体ケース３Ｂに支えられ、右刈り取り部１１６は右刈り刃伝動体ケース３Ｃに支えられる。左刈り刃伝動体ケース３Ｂと右刈り刃伝動体ケース３Ｃは上部刈り刃伝動体ケース３Ａにより繋がり、門柱型を構成される。
【００３７】
〔２〕特徴・効果
これにより、刈り刃１１，１４で刈り取られ、刈り取られた刈り取り物は刈り刃１１，１４と同軸に装置された排出促進体１２，１５で強力に機体後方に搬送される、この刈り取り構造で、長尺な刈り取り物で、例えば８０〜１００ｃｍの長いものでも刈り取りが可能で、左刈り取り部１３，右刈り取り部１６は左刈り刃伝動体ケース３Ｂと右刈り刃伝動体ケース３Ｃ、更に上部刈り刃伝動体ケース３Ａの門柱型に構成される門形フレーム３に支えられているので、中間空間部３Ａの空間が非常に広く、大量の刈り取り物が１度に刈り取られても、門柱（門形フレーム）で形成される中間空間部３Ａの空間が広いので空間に詰まる事はない。空間構造は左刈り刃伝動体伝動体ケース３Ｂ、右刈り刃伝動体ケース３Ｃの距離は２１〜３６ｃｍに幅広くされ、上部刈り刃伝動体ケース３Ａの高さは３０〜４０ｃｍに高く構成されているので、門形フレーム３の中間空間部３Ａを潜り抜けながら、刈り取り物の上部を前方向きに下部を後方向きに押し倒し作用させて倒伏処理させることができる。
【００３８】
この中間空間部３Ａの空間が広いので刈り取り物は流れを邪魔されない、更に空間は門柱型構造であるので流れが邪魔されない。刈り取り物の後方への移送さばけが良い。
左右の刈り刃１１，１４の回転方向が互いに機体中央に向けて内向きに回転した構造で刈り取られるので、刈り取り物の草丈に関係なく、下端部の株元のみ１回切りしか刈り取りしない。その為に消費馬力が従来型に比較して約１／３位の消費馬力で刈り取りが可能である。そのため、草丈の長短に関係なく、１度切りの刈り取りが出来て、刈り取り草量にも関係なく刈り取りが出来る。
従来の機械は、一般的には刈り刃部の上部にカバーを配置していると刈り取り物を導入するところ空間高さは２０ｃｍ位で、空間が狭いので刈り取られた草が空間にすぐ一杯になり、刈り刃部に草が充満するので、刈り刃部に刈り取り負荷の数倍の負荷が懸かるので、本発明のものより３倍位の負荷増になり、そのため、原動機の馬力が大きくなり、機体重量が重くなる。刈り取り負荷を最小限にする１つの方法は刈り取り物が空間部３Ａを１度切りで通過できる構造にすることである、その為に全体負荷が軽くなり、小型化、安価、長い草が刈れる等の特徴が出る。
【００３９】
次に、本発明第１実施形態の刈り取り機と本発明第２実施形態の刈り取り機で説明した、２．左右の刈り刃前後配置型（先行配置）と並列型（左右横並び）について補足説明する。
〔１〕構成・作用
本発明第１実施形態の刈り取り機は、左刈り取り部１３が右刈り取り部１６より前方に先行した位置にある。この構造の特徴は量の多い刈り取り物を刈り取りした時、刈り刃１１，１４に同時負荷が掛かると馬力が増大する可能性が高い。左右同時に大きい負荷が掛かると馬力が増大化するので、それを避ける為に前後にずらした先行構造にしている。
草などの刈り取り物の刈り取り量は、稲の様にコンスタントに同量ではなく、常に変化が大きい。大量の繁茂した草群とそうでもない草群が常時混ざりあっている傾向が強い。草量は品種や肥料、土地により大変に変化が大きい、その変化量に常に対応しながら刈り取りが出来なければならない。その為に本発明第１実施形態の刈り取り機は一方が先行している構造を採用している。
【００４０】
本発明第２実施形態の刈り取り機では、左右ほぼ平行に横並びに配列した構造である。本構造の特徴は、左刃駆動用の補助伝導ケース３Ｂ１がない構造で、コストが安価に出来る、その替わり、平地と傾斜地の２面同時刈り取り傾斜刃構造の採用が難しい課題はある。
例えば、稲刈り結束用の１条刈りバインダ−は、２条刈りバインダ−より稲の倒伏刈りが有利である。その理由は、稲は２条の場合には成育管理をしている関係で左右ほぼ同一量に成育しているが、野山に自然に繁茂する草量は一般的に常に変化が大きい。
上記の状況であるが、左右の刈り刃並列型の構造では左右均等に刈り取り草量が掛かる率が高いので、左先行型のように左右で刈り取り草の引きがない、その為にスム−スに刈り刃部に刈り草が入る可能性が高い。
【００４１】
〔２〕特徴・効果
本発明第２実施形態の刈り取り機は、左刃駆動用の補助伝導ケース３Ｂ１がない構造だからコストが安価、機体重量が軽く出来る。また、本発明第１実施形態の刈り取り機では左刈り取り部１３が先行する構造のため、刈取られた刈り取り物が左車輪７の方に寄る傾向が見られるが、第２実施形態の刈り取り機に採用する平行の場合は、走行機体２の中央に集束されて堆積する。また、左刃駆動用の補助伝導ケース３Ｂ１がない構造のため、機体の長さが短くなるので回行が容易となる。
【００４２】
さらに、３．刈り刃セット装置（左右交換切り替え）について補足説明する。
〔１〕構成・作用
本発明は左刃体１３，右刃体１６をアッシーで交互に交換できる構造で、単一のボルト４９のみ、一本の弛緩操作で非常に容易に交換が確実に出来る。
左刃体１３（右刃体１６も同一構造であり左刃体１３で説明をする）の構成は、排出促進体１２と排出促進体補強板１２−２、刈り刃１１，１１、刈り高さ調節板（橇皿）４８，刈り高さ調節板ボルト（ボルト１５Ａ，ナット１５Ｂ）で構成される。
排出促進体１２と排出促進体補強板１２−２は溶接部１２Ｗと１２Ｕ部で溶接される、溶接部１２Ｗは円周に４箇所、溶接部１２Ｕは円周３６０度上に５箇所にある。
左刃体１３，右刃体１６の交換は刃固定ボルト４８で刈り刃伝動軸４６に固着される。
刈り刃伝動軸４６に延長刈り刃伝動軸４６−１が溶着され、刈り刃伝動軸４６−１は刃固定メタル（大径筒部）３Ｃ１，ベアリングＢＢを嵌装する、刈り刃伝動軸４６−１にスプライン４６Ａを設け、固定座（巻き付け防止体）４７を嵌装する。
単一の刃固定ボルト４９の１本で固定するのは、刈り取り部の安全性の為と、刃体の交換を容易にするためである。刃固定ボルト４９の左刃体１１のネジは右ネジに、右刃体１４は左ネジにされており、この構造により刈り刃の回転中に刃固定ボルト４９のネジが緩まないようにしてある。しかし非常に大きい負荷、例えば刈り取り作業中にコンクリ−トや大きな石に当接した時には刃体全体が機体から瞬時に分離する。この作用は機械全体の安全の為に構成されている。
【００４３】
〔２〕特徴・効果
刃の交換は刈り取り中には石、材木等様々な物が混ざっていて刃の摩耗、破損が発生する、その上にユ−ザ−は高齢者が多く交換性容易を要求される、それ等の為に刃の交換は容易で短時間に確実に出来ることが必要である。
本発明では、左刃体１３，右刃体１６を交互に交換できる構造で、非常に容易に交換が確実に出来る。このようにすると左刃体１３，右刃体１６の刃面の回転方向の正逆両側が使えるので刈り刃の使用時間を増やすことができる。
【００４４】
最後に、４．刈り刃について補足説明する。
〔１〕構成・作用
刈り刃１１，１４は１〜２枚で構成される、刈り刃１１，１４は両傾斜状構造で、刃先端部の巾は５〜８ｍｍで構成される。これ以下に巾が狭いと熱処理時に材料が融ける恐れがある。刃１１，１４の傾斜は先端部５３が広いと前進時に刈草を前方に押し倒す原因となり、そのために消費馬力が大となる。そして、更に草を押し倒すことによると先端部で詰まりが発生する要因となる。詰まりが発生すると連続的に溜まりが発生する原因となり、最後は刈り取り不能となる。
刈り刃１１，１４の先端部が狭く形成されていると、比較的この現象が発生せず、消費馬力も低くなる。消費馬力が低いと重量も軽減される。
刈り刃１１，１４と排出促進体１２，１５との位置は刃１１，１４の傾斜角のほぼ延長線上にあることが望ましい。
【００４５】
〔２〕特徴・効果
刈り刃は刈り取りにより摩耗、又石や材木の切断等で摩耗と破損が発生する、刃部の先端の構造が左右同一傾斜になっているので、左刃体１３と右刃体１６を交換することにより両刃部１１，１４の両方が使えるので、２倍の耐久性がある、その為に左右刈り取り部１３，１６の刃部体１１，１４が交互に使用可能である。
刈り刃１１，１４の先端部の巾が５〜８ｍｍと狭いので草刈り機が直進しても草を倒すこともなく、低馬力で刈り取りが出来る。
【産業上の利用可能性】
【００４６】
本発明は、従来の刈り払い機に比べて２〜３倍の能率で安全性も高く、小型、軽量、自走型、安価、取り扱い性も良く、長桿材、倒伏材、軟弱材も刈れて、更に３０°位の傾斜地、畦草刈りも能率的に刈れる等の良さがあるので農業のみならず道路の草刈りも出来るので建設業界にも使用されるので貢献度は非常に大きい。
【符号の説明】
【００４７】
１  刈り取り機
２  走行機体
３  門形フレーム
３Ａ、３Ｂ、３Ｃ  伝導ケース
３Ｂ１  補助伝導ケース
３Ｄ  中間空間部
４  刈り取り部
５  ミッションケース
１１  刈り刃（一方側：左側）
１２  跳ね出し体
１３  刈り取り跳ね出し装置
１４  刈り刃（他方側：右側）
１４Ａ  刈り刃部
１５  跳ね出し体
１６  刈り取り跳ね出し装置
１８  伝導軸
２１  分配軸
３４  中継軸
４３  伝動軸
４６  伝達軸
４６Ａ  セレーション
４９  ボルト
【図１】
2014036633.tif 000003
【図２】
2014036633.tif 000004
【図３】
2014036633.tif 000005
【図４】
2014036633.tif 000006
【図５】
2014036633.tif 000007
【図６】
2014036633.tif 000008
【図７】
2014036633.tif 000009
【図８】
2014036633.tif 000010
【図９】
2014036633.tif 000011
【図１０】
2014036633.tif 000012
【図１１】
2014036633.tif 000013